(57)【特許請求の範囲】
【請求項１】
フィルム同士を熱融着させてシールするためのイージーピールシール用フィルムであって、
（Ａ）（ａ−１）密度０．９３０ｇ／ｃｍ3以下の高圧法低密度ポリエチレンまたは（ａ−２）密度０．９３０ｇ／ｃｍ3以下の直鎖状低密度エチレン・α−オレフィン共重合体３０〜９０重量％、および
（Ｂ）密度０．９５０ｇ／ｃｍ3以上の高密度ポリエチレン７０〜１０重量％を含むポリエチレン系組成物からなることを特徴とするイージーピールシール用フィルム。
【請求項２】
高圧法低密度ポリエチレン（ａ−１）または直鎖状低密度エチレン・α−オレフィン共重合体（ａ−２）の融点と、高密度ポリエチレン（Ｂ）の融点との差が１０℃以上であることを特徴とする請求項１記載のイージーピールシール用フィルム。
【請求項３】
一層以上の他層が積層されていることを特徴とする請求項１または２記載のイージーピールシール用フィルム。
【請求項４】
請求項１ないし３のいずれかに記載のイージーピールシール用フィルムからなることを特徴とする容器。
【請求項５】
請求項１ないし３のいずれかに記載のイージーピールシール用フィルムからなる容器であって、イージーピールシールにより区分された２以上の収容部を有することを特徴とする容器。
【発明の詳細な説明】
【０００１】
【発明の属する技術分野】
本発明は、ポリエチレン系組成物からなるイージーピールシール用フィルムおよびこのフィルムからなる容器に関し、さらに詳しくは輸液用ダブルバッグなどの容器に好適に使用することができるイージーピールシール用フィルムおよびこのフィルムからなる容器に関する。
【０００２】
【従来の技術】
輸液バッグなどの医療用容器として、内容物収容部がイージーピールオープン性を有するイージーピールシール部により上室と下室とに区分するようにヒートシールされた樹脂製の容器が用いられている。このような輸液バッグは、上室と下室とにそれぞれ種類の異なる内容物を収容し、使用直前に手で押して室を区分しているイージーピールシール部を開通させ、２種類の内容物を混合して使用する。このような輸液バッグでは、化学変化が生じる内容物を別々に保存することができ、しかも使用直前に外気にさらすことなく混合することができるので、高い安全性が確保できる。このような輸液バッグを構成するフィルムには、輸液バッグの周縁部を十分な強度でヒートシールするためのヒートシール強度と、内容物収容部を区分することができ、しかも手で容易に開通させることができるようにヒートシールするためのイージーピールシール性とが要求される。
【０００３】
特開平６−２８６０８７号、特開平２−４６７１号には、ポリエチレンおよびポリプロピレンのブレンド物からなるフィルムを内層とする輸液バッグが記載されている。これらの輸液バッグでは、ポリエチレンは溶融するがポリプロピレンは溶融しない温度でヒートシールすることによりイージーピールオープン性を有するイージーピールシール部が形成される。またポリエチレンおよびポリプロピレンの両者が溶融する温度でヒートシールすることによりバッグの周縁部に強融着部が形成される。
しかし上記ポリエチレンおよびポリプロピレンのブレンド物からなるフィルムは低温耐衝撃性が低いほか、強融着した場合のヒートシール強度が低いという問題点がある。また、例えば法的規制等によりフィルムの原料がポリエチレンのみに限定される用途には使用できない。
【０００４】
また特開平４−２６６７５９号には、積層フィルムからなる医療用バッグであって、内層が密度０．９３０ｇ／ｃｍ3以下のラジカル重合法により得られた低密度ポリエチレン樹脂と、密度０．４５ｇ／ｃｍ3以上でかつＭｗ／Ｍｎが４．０以下の高密度ポリエチレン樹脂とを含む組成物からなる医療用バッグが記載されている。
しかし、上記積層フィルムをイージーピールシールに使用することについては全く記載されていない。
【０００５】
【発明が解決しようとする課題】
本発明の目的は、ポリエチレン系のフィルムであって、シール条件を選択することにより、簡単に手で剥離できるようにヒートシール（イージーピールシール）することもでき、また強固にヒートシールすることもでき、しかも低温耐衝撃性にも優れたイージーピールシール用フィルム、およびこのフィルムからなる容器を提供することである。
【０００６】
【課題を解決するための手段】
本発明は次のイージーピールシール用フィルムおよびこのフィルムからなる容器である。
（１）  フィルム同士を熱融着させてシールするためのイージーピールシール用フィルムであって、
（Ａ）（ａ−１）密度０．９３０ｇ／ｃｍ3以下の高圧法低密度ポリエチレンまたは（ａ−２）密度０．９３０ｇ／ｃｍ3以下の直鎖状低密度エチレン・α−オレフィン共重合体３０〜９０重量％、および
（Ｂ）密度０．９５０ｇ／ｃｍ3以上の高密度ポリエチレン７０〜１０重量％を含むポリエチレン系組成物からなることを特徴とするイージーピールシール用フィルム。
（２）  高圧法低密度ポリエチレン（ａ−１）または直鎖状低密度エチレン・α−オレフィン共重合体（ａ−２）の融点と、高密度ポリエチレン（Ｂ）の融点との差が１０℃以上であることを特徴とする上記（１）記載のイージーピールシール用フィルム。
（３）  一層以上の他層が積層されていることを特徴とする上記（１）または（２）記載のイージーピールシール用フィルム。
（４）  上記（１）ないし（３）のいずれかに記載のイージーピールシール用フィルムからなることを特徴とする容器。
（５）  上記（１）ないし（３）のいずれかに記載のイージーピールシール用フィルムからなる容器であって、イージーピールシールにより区分された２以上の収容部を有することを特徴とする容器。
【０００７】
本発明で使用する高圧法低密度ポリエチレン（ａ−１）は、高圧重合法で製造されたポリエチレンであって、密度が０．９３０ｇ／ｃｍ3以下、好ましくは０．９２５ｇ／ｃｍ3以下の低密度のポリエチレンである。この高圧法低密度ポリエチレン（ａ−１）としては、融点が１１５℃以下のものが好ましい。
【０００８】
本発明で使用する直鎖状低密度エチレン・α−オレフィン共重合体（ａ−２）は、エチレンとα−オレフィンとの共重合体であり、密度が０．９３０ｇ／ｃｍ3以下、好ましくは０．９２０ｇ／ｃｍ3以下の低密度の直鎖状共重合体である。エチレンと共重合するα−オレフィンとしては、プロピレン、１−ブテン、１−ペンテン、１−ヘキセン、４−メチル−１−ペンテン、１−ヘプテン、１−オクテン、１−ノネン、１−デセン、１−ウンデセン、１−ドデセン等の炭素数３〜１２のものが挙げられる。エチレンと他のα−オレフィンとの割合はエチレン／α−オレフィンのモル比で９８／２〜７０／３０、好ましくは９６／４〜７５／２５であるのが望ましい。直鎖状低密度エチレン・α−オレフィン共重合体（ａ−２）としては、融点が１２０℃以下のものが好ましい。
【０００９】
本発明で使用する高密度ポリエチレン（Ｂ）は、密度が０．９５０ｇ／ｃｍ3以上、好ましくは０．９６０ｇ／ｃｍ3以上の高密度のポリエチレンである。高密度ポリエチレン（Ｂ）は融点が１３０℃以上のものが好ましい。
【００１０】
本発明で使用するポリエチレン系組成物は、前記高圧法低密度ポリエチレン（ａ−１）または直鎖状低密度エチレン・α−オレフィン共重合体（ａ−２）（これらをまとめて（Ａ）成分という）と、高密度ポリエチレン（Ｂ）とを含むものであり、両者の配合割合は（Ａ）成分３０〜９０重量％、好ましくは５０〜８０重量％、（Ｂ）成分７０〜１０重量％、好ましくは５０〜２０重量％である。
【００１１】
（Ａ）成分と（Ｂ）成分との組合せとしては、（Ａ）成分の融点と（Ｂ）成分の融点との差が１０℃以上となるような（Ａ）成分と（Ｂ）成分とを組合せて使用するのが好ましい。通常（Ａ）成分に比べて（Ｂ）成分の融点が高いので、通常相対的に融点の低い（Ａ）成分と相対的に融点の高い（Ｂ）成分との組合せとなる。
【００１２】
本発明のイージーピールシール用フィルムは、前記ポリエチレン系組成物からなるフィルムである。ポリエチレン系組成物の（Ａ）成分および（Ｂ）成分はいずれもポリエチレン系であるので両者は相溶性がよく、このため本発明のイージーピールシール用フィルムは低温耐衝撃性に優れている。
【００１３】
本発明のイージーピールシール用フィルムは、ヒートシール（インパルスシール等の熱融着を含む）によりフィルム同士を熱融着させてシールすることができ、このヒートシールする際の条件、例えば温度、圧力、時間などを選択することにより、イージーピールシールすることもできるし、強固にシールすることもできる。
【００１４】
イージーピールシールする場合には、相対的に融点の低い（Ａ）成分の融点以上の温度であって、かつ相対的に融点の高い（Ｂ）成分の融点未満の温度でヒートシールするのが好ましい。このような条件でヒートシールすると、３００〜６００ｇ／１５ｍｍ幅程度のイージーピール強度でシールすることができる。このイージーピール強度は従来のポリエチレンおよびポリプロピレンのブレンド物からなるイージーピールシール用フィルムのイージーピール強度と同程度の強度であり、手で簡単に剥離することができる。
【００１５】
一方強固にシールする場合には、（Ａ）成分および（Ｂ）成分の融点以上の温度でヒートシールするのが好ましい。このような条件でヒートシールすると、（Ａ）成分および（Ｂ）成分の相溶性がよく、しかもポリエチレン系組成物（ブレンド物）の融点がポリプロピレンを含むブレンド物に比べて低いため、強固にシールされた強融着部が得られる。
ヒートシールする場合のシール圧力およびシール時間は、フィルムの厚さ、単層か多層か等のフィルムの形状により適宜選択することができる。
【００１６】
本発明のイージーピールシール用フィルムには、前記ポリエチレン系組成物以外の樹脂または樹脂組成物からなる他層を積層することもできる。
他層を構成する樹脂または樹脂組成物としては、ポリエチレン、エチレン・α−オレフィン共重合体、ポリプロピレン、ポリブテン、エチレン・ビニルアルコール共重合体、エチレン・酢酸ビニル共重合体、ポリアミド、ポリエチレンテレフタレートおよびこれらのブレンド物などがあげられる。
【００１７】
他層は１層または２層以上積層することができる。２層以上積層する場合は、前記ポリエチレン系組成物からなる層が最外層になるように積層する。
本発明のイージーピールシール用フィルムの厚さは特に制限されないが、単層の場合、通常３０〜３００μｍ、多層の場合、全体の厚さとして通常３０〜３００μｍである。
【００１８】
本発明のイージーピールシール用フィルムは、キャスト法、インフレーション法、水冷インフレーション法、共押出インフレーション法、共押出Ｔダイ法、ドライラミネーション法、押出ラミネーション法などの成形法により製造することができる。
【００１９】
本発明の容器は前記イージーピールシール用フィルムからなるものである。他層が積層されているイージーピールシール用フィルムを用いる場合には、物を収容する側（内層側）を前記ポリエチレン系組成物からなる層とする。
【００２０】
本発明の容器は、前記イージーピールシール用フィルムのチューブ状フィルムまたはシート状フィルムを通常の方法により裁断し、収容物に応じて周縁部を熱融着、通常強融着することにより製造することができる。必要により、収容物の収容口、取出口等を熱融着などの手段により取付けることができる。収容部を２以上設ける場合は、イージーピールシールすることにより簡単に形成することができる。
【００２１】
本発明の容器は輸液用ダブルバッグ等の医療用容器などとして利用するのが好ましいが、菓子類、食品などの包装容器（袋）として利用することもできる。輸液用ダブルバッグとして利用した場合、内容物収容部を区分しているイージーピールシール部を手で簡単に開通させて内容物を混合することができる。また輸液用ダブルバッグの周縁部は強融着されているので輸送、保管または取扱中に内容物が漏れることはなく、イージーピールシール部も一定の接着強度を有しているので輸送、保管または取扱中に内容物が混合することはない。
【００２２】
【発明の効果】
本発明のイージーピールシール用フィルムは、フィルム同士を熱融着させてシールするためのイージーピールシール用フィルムであって、特定のポリエチレン系組成物からなるので、シール条件を選択することによりフィルム同士を熱融着させてイージーピールシールすることもでき、また強固にシールすることもでき、さらに低温耐衝撃性にも優れている。
本発明の容器は、上記イージーピールシール用フィルムからなるので、低温耐衝撃性に優れている。またイージーピールシールにより区分された収容部を設けた場合は、イージーピールシール部を手で簡単に開通させることができる。
【００２３】
【発明の実施の形態】
次に本発明の実施例について説明する。各例中、部は重量部である。
実施例１〜４、比較例１〜２
３層ダイキャストフィルム成形機を用いて３層の積層体からなる膜厚２５０μｍのイージーピールシール用フィルムを製造した。各層の構成は次の通りである。
【００２４】
《内層》
原料：表１に示す樹脂のブレンド物からなるポリエチレン系組成物
膜厚：３０μｍ
《中間層》
原料：直鎖状低密度エチレン・α−オレフィン共重合体と、エチレン・α−オレフィン共重合体のブレンド物
膜厚：２００μｍ
《外層》
原料：直鎖状エチレン・α−オレフィン共重合体
膜厚：２０μｍ
【００２５】
【表１】
0003543456.tif 000002
【００２６】
表１の注
ＬＬＤＰＥ：直鎖状低密度エチレン・α−オレフィン共重合体
ＨＤＰＥ：高密度ポリエチレン
ＨＰＬＤＰＥ：高圧法低密度ポリエチレン
＊１  エチレン／ブテン−１＝９６．０／４．０（モル比）
＊２  エチレン／ブテン−１＝９３．５／６．５（モル比）
＊３  エチレン／ブテン−１＝９８．０／２．０（モル比）
【００２７】
上記イージーピールシール用フィルムについて、イージーピールシール（ＥＰＳ）性、耐衝撃強度（ダートインパクト）、強融着部のヒートシール強度を下記方法により試験した。結果を表２に示す。
《イージーピールシール性》
イージーピールシール条件：
温度；１１０〜１３０℃
シール幅；５ｍｍ
シール時間；１秒
シール圧力；２ｋｇ／ｃｍ2
試験条件：
試験速度；３００ｍｍ／ｍｉｎ
試験片幅；１５ｍｍ
【００２８】
《耐衝撃強度（ダートインパクト）》
フィルム上に６６ｃｍの高さから重り（１．５インチ先端）を落下し、フィルムが５０％破壊した時の重りの重量。
《ヒートシール強度（強融着部）》
強融着シール条件：
シール幅；５ｍｍ
シール時間；１秒
シール圧力；２ｋｇ／ｃｍ2
試験条件：
試験速度；３００ｍｍ／ｍｉｎ
試験片幅；１５ｍｍ
【００２９】
【表２】
0003543456.tif 000003
【００３０】
表２の注
＊１  ＥＰＳ（イージーピールシール）性の評価基準
◎：非常に良好
○：良好
△：やや劣る
×：劣る
＊２  強融着した場合のヒートシール強度。評価基準は次の通りである。
○：完全融着
△：シール部伸び剥離
×：シール部剥離